(57)【要約】【課題】設定作業の簡易化を図る。【解決手段】ストレージシステム１は、記憶装置１０、制御装置２０およびホスト装置３を備える。記憶装置１０は、記録媒体を備える。制御装置２０は、検出部２ａと制御部２ｂを含む。検出部２ａは、記憶装置１０にロードされた記録媒体ｍが、スタンドアロンの動作モードで使用すべきスタンドアロン専用記録媒体であるか否かを検出する。制御部２ｂは、記録媒体ｍがスタンドアロン専用記録媒体である場合は、スタンドアロン専用記録媒体の物理ボリュームを論理ボリュームとして登録して、自装置の動作モードをスタンドアロンモードに自動移行する。【選択図】図１
2015172923.tif 000002
【特許請求の範囲】
【請求項１】
記録媒体に対して読み出し／書き込みを行う記憶装置と、
前記記憶装置にロードされた記録媒体がスタンドアロンの動作モードで使用すべきスタンドアロン専用記録媒体であることを検出すると、前記スタンドアロン専用記録媒体の物理ボリュームを論理ボリュームとして登録して、動作モードをスタンドアロンモードに移行可能にする制御部を含む制御装置と、
を有することを特徴とするストレージシステム。
【請求項２】
前記制御部は、前記スタンドアロン専用記録媒体の物理ボリュームを前記論理ボリュームとして登録した後、動作モードをスタンドアロンモードに移行する、
ことを特徴とする請求項１記載のストレージシステム。
【請求項３】
前記制御装置は、ボリューム識別情報の登録の有無を示す登録情報を記憶する記憶部を含み、
前記制御部は、
前記記録媒体に付与されたラベルがスタンドアロン専用ラベルであり、かつ前記登録情報を参照して前記スタンドアロン専用ラベルに記載されるボリューム識別情報が未登録の場合には、当該記録媒体を前記スタンドアロン専用記録媒体と認識し、
前記ラベルが前記スタンドアロン専用ラベルであり、かつ前記登録情報を参照して前記スタンドアロン専用ラベルに記載されるボリューム識別情報が登録済みの場合、さらに前記ラベルが前記スタンドアロン専用ラベルでない場合には、当該記録媒体を前記スタンドアロン専用記録媒体と認識せず、当該記録媒体のデータ処理は、当該制御装置が通信接続している他装置を介して実行される、
ことを特徴とする請求項２記載のストレージシステム。
【請求項４】
前記制御部は、スタンドアロンモードの開始動作時、前記スタンドアロン専用記録媒体の物理ボリュームのボリューム識別情報を、論理ボリュームのボリューム識別情報とし、未使用の論理機番の中からスタンドアロンで使用する論理機番を選定して該論理ボリュームに割り当てる、
ことを特徴とする請求項２記載のストレージシステム。
【請求項５】
前記制御部は、スタンドアロンモードで当該記録媒体のデータ処理が行われている場合、スタンドアロンで使用する論理機番が割り当てられている論理ボリュームに対して、前記データ処理以外の他アクセスをガードする、
ことを特徴とする請求項２記載のストレージシステム。
【請求項６】
前記制御部は、スタンドアロンモードの動作を終了する場合、終了指定された論理ボリュームをアンマウントし、該論理ボリュームに対してデータ書き込みがあった場合は、該論理ボリュームのデータを前記スタンドアロン専用記録媒体にコピーする、
ことを特徴とする請求項２記載のストレージシステム。
【請求項７】
前記制御装置は、ボリューム名と、検出済みのスタンドアロン専用記録媒体の物理ボリュームおよび論理ボリュームとを対応付けたスタンドアロン情報を記憶する記憶部を含み、
前記制御部は、ボリューム名を指定したスタンドアロン動作の指示を受け付けると、前記スタンドアロン情報を参照し、前記指示により指定されたボリュームと前記スタンドアロン情報に含まれるボリュームとが一致し、かつスタンドアロンの動作モードで使用すべきスタンドアロン専用記録媒体が前記ボリュームに対応付けられて前記記憶装置に格納されている場合に、前記指示により指定されたボリュームに対応する前記物理ボリュームを前記論理ボリュームとして登録して、動作モードをスタンドアロンモードに移行する、
ことを特徴とする請求項１記載のストレージシステム。
【請求項８】
前記制御部は、
前記物理ボリュームを前記論理ボリュームとして登録して、
未使用の論理機番の中からスタンドアロンで使用する論理機番を選定して該論理ボリュームに割り当てる、
ことを特徴とする請求項７記載のストレージシステム。
【請求項９】
前記制御部は、
前記スタンドアロン専用記録媒体が読み取り専用である場合に、前記物理ボリュームのデータを前記論理ボリュームにコピーする、
ことを特徴とする請求項８記載のストレージシステム。
【請求項１０】
前記制御部は、
前記スタンドアロンモードを終了する場合に、
前記スタンドアロン専用記録媒体を前記記憶装置内に格納し、
前記スタンドアロン専用記録媒体の前記ボリューム名と、前記物理ボリュームと、前記論理ボリュームとを対応付けたスタンドアロン情報を生成する、
ことを特徴とする請求項７記載のストレージシステム。
【請求項１１】
前記制御部は、
前記論理ボリュームをアンマウントし、
前記スタンドアロン専用記録媒体が書き込み専用である場合に、前記論理ボリュームのデータを前記物理ボリュームにコピーし、
前記物理ボリュームをアンマウントする、
ことを特徴とする請求項１０記載のストレージシステム。
【請求項１２】
前記制御部は、
前記スタンドアロン情報を参照し、前記指示により指定されたボリュームと前記スタンドアロン情報に含まれるボリュームとが一致しない場合、またはスタンドアロンの動作モードで使用すべきスタンドアロン専用記録媒体が前記ボリュームに対応付けられて前記記憶装置に格納されていない場合に、エラーを通知する、
ことを特徴とする請求項７記載のストレージシステム。
【請求項１３】
記憶装置にロードされた記録媒体が、スタンドアロンの動作モードで使用すべきスタンドアロン専用記録媒体であるか否かを検出し、前記スタンドアロン専用記録媒体である場合は、前記スタンドアロン専用記録媒体の物理ボリュームを論理ボリュームとして登録して、動作モードをスタンドアロンモードに移行可能にする制御部と、
を有することを特徴とする制御装置。
【請求項１４】
コンピュータに、
記憶装置にロードされた記録媒体が、スタンドアロンの動作モードで使用すべきスタンドアロン専用記録媒体であるか否かを検出し、
前記スタンドアロン専用記録媒体である場合は、前記スタンドアロン専用記録媒体の物理ボリュームを論理ボリュームとして登録して、動作モードをスタンドアロンモードに移行可能にする、
処理を実行させることを特徴とするプログラム。
【発明の詳細な説明】
【技術分野】
【０００１】
本発明は、ストレージシステム、制御装置およびプログラムに関する。
【背景技術】
【０００２】
実テープライブラリ装置は、スロットに格納されている物理テープを、スロットから物理ドライブへセットして、物理テープ上のデータの読み出し／書き込みを行う記憶装置である。
【０００３】
実テープライブラリ装置は、ロボット機構を備えており、ロボット機構により、スロットと物理ドライブとの間で物理テープが自動交換され、物理テープは、物理ドライブへマウント（mount）またはアンマウント（unmount）される。そして、ホストのＯＳ（Operating System）にもとづくオンライン処理によって、データの読み出し／書き込み処理が行われる。
【０００４】
このような動作に対して、実テープライブラリ装置では、通常、スタンドアロン（stand alone）というモードがサポートされている。
スタンドアロンでは、オペレータは、物理テープの物理ドライブへのマウント／アンマウントをマニュアル（手動）で行い、ホストのＯＳを介さないオフライン状態で、ホストのコンソールを通じてデータの読み出し／書き込みを操作する。動作モードをこのようなスタンドアロンに切り替えることで、実テープライブラリ装置をテープドライブ単体機と同じように使用することができる。
【０００５】
従来技術として、ネットワークサービス種別を識別するサービス識別子が設けられた記憶媒体に対し、該記憶媒体が有するサービス識別子に対応するホスト計算機に回線接続して、ネットワークサービスを受ける技術が提案されている。
【０００６】
また、生産品に関する情報を有する製品エージェントであって、生産品に随伴して移送される媒体として、紙やシートに印刷されたバーコードを用いる技術が提案されている。
【先行技術文献】
【特許文献】
【０００７】
【特許文献１】特開平７−３１９８１０号公報
【特許文献２】特開２０００−４０１０９号公報
【発明の概要】
【発明が解決しようとする課題】
【０００８】
上記のようなスタンドアロンは、実テープライブラリ装置においてサポートされているが、従来、仮想テープ装置にはサポートされていない。このため、仮想テープ装置へのスタンドアロンの設定作業は複雑であり、設定ミスも起こりやすいという問題がある。
【課題を解決するための手段】
【０００９】
上記課題を解決するために、ストレージシステムが提供される。ストレージシステムは、記録媒体に対して読み出し／書き込みを行う記憶装置と、前記記憶装置にロードされた記録媒体が、スタンドアロンの動作モードで使用すべきスタンドアロン専用記録媒体であることを検出すると、前記スタンドアロン専用記録媒体の物理ボリュームを論理ボリュームとして登録して、動作モードをスタンドアロンモードに移行可能にする制御部を含む制御装置とを有する。
【発明の効果】
【００１０】
１態様によれば、設定作業を簡易化することが可能になる。
【図面の簡単な説明】
【００１１】
【図１】第１の実施の形態のストレージシステムの構成例を示す図である。
【図２】第１の実施の形態のストレージシステムの構成例を示す図である。
【図３】第１の実施の形態のライブラリ装置とサーバの内部構成例を示す図である。
【図４】第１の実施の形態のスタンドアロン専用ラベルを示す図である。
【図５】第１の実施の形態のスタンドアロン専用ラベルの貼り付け位置を示す図である。
【図６】第１の実施の形態のＰＶリストの構成例を示す図である。
【図７】第１の実施の形態のＬＶリストの構成例を示す図である。
【図８】第１の実施の形態の論理機番リストの構成例を示す図である。
【図９】第１の実施の形態のスタンドアロン開始動作の流れを説明するための図である。
【図１０】第１の実施の形態のスタンドアロン開始動作を示すフローチャートである。
【図１１】第１の実施の形態のスタンドアロン開始動作を示すフローチャートである。
【図１２】第１の実施の形態のスタンドアロンジョブ動作およびガード制御の動作を説明するための図である。
【図１３】第１の実施の形態のスタンドアロンジョブ動作およびガード制御の動作を示すフローチャートである。
【図１４】第１の実施の形態のスタンドアロン終了動作の流れを説明するための図である。
【図１５】第１の実施の形態のスタンドアロン終了動作を示すフローチャートである。
【図１６】第１の実施の形態の仮想テープ装置のハードウェア構成例を示す図である。
【図１７】第２の実施の形態のストレージシステムの構成例を示す図である。
【図１８】第２の実施の形態のライブラリ装置とサーバの内部構成例を示す図である。
【図１９】第２の実施の形態のスタンドアロン処理済みリストの構成例を示す図である。
【図２０】第２の実施の形態のスタンドアロン開始動作の流れを説明するための図である。
【図２１】第２の実施の形態のスタンドアロン開始動作を示すフローチャートである。
【図２２】第２の実施の形態のスタンドアロン開始動作を示すフローチャートである。
【図２３】第２の実施の形態のスタンドアロン終了動作の流れを説明するための図である。
【図２４】第２の実施の形態のスタンドアロン終了動作を示すフローチャートである。
【発明を実施するための形態】
【００１２】
以下、本発明の第１の実施の形態を図面を参照して説明する。図１は、第１の実施の形態のストレージシステムの構成例を示す図である。ストレージシステム１は、記憶装置１０、制御装置２０およびホスト装置３を備える。
【００１３】
記憶装置１０は、可搬型記録媒体を備える。可搬型記録媒体としては、磁気テープや光ディスク、光磁気ディスクなどがある。特に磁気テープは、ストレージシステム１におけるバックエンドの大容量記憶領域を実現する記録媒体として利用される。
【００１４】
制御装置２０は、検出部２ａと制御部２ｂを含む。検出部２ａは、記憶装置１０にロードされた記録媒体が、装置単体でデータ処理を実行するスタンドアロンの動作モードで使用すべきスタンドアロン専用記録媒体であるか否かを検出する。
【００１５】
なお、スタンドアロンとは、制御装置２０に対するデータ処理を、ホスト装置３のＯＳを介さないオフライン状態で、制御装置２０単体で実行する場合の動作モードのことである。
【００１６】
検出部２ａでは、具体的には、記録媒体ｍにスタンドアロン専用ラベルが貼り付けられ、スタンドアロン専用ラベルに記載のボリューム識別情報が未登録の場合に、記録媒体ｍをスタンドアロン専用記録媒体と認識する。
【００１７】
制御部２ｂは、記録媒体ｍがスタンドアロン専用記録媒体である場合は、スタンドアロン専用記録媒体の物理ボリュームを論理ボリュームとして登録して、自装置の装置動作モードをスタンドアロンモードに自動移行する。
【００１８】
なお、制御部２ｂは、自装置の装置動作モードをスタンドアロンモードに自動移行することに代えて、スタンドアロンモードに移行可能な状態で待機し、所定のイベントトリガ（例えば、オペレータの確認操作）でスタンドアロンモードに移行するようにしてもよい。
【００１９】
ホスト装置３は、オペレータの入力操作に応じて制御装置２０にアクセス要求を発し、制御装置２０内の論理ボリュームにアクセスしてデータ処理（読み出し／書き込み処理）を行う。
【００２０】
ここで、従来では、制御装置２０に対してスタンドアロンを設定する場合、マニュアルで物理ボリュームをロードした後、オペレータ自身がスタンドアロンで動作させるための設定手順を逐一行うことになる。
【００２１】
これに対し、上記のストレージシステム１によれば、スタンドアロン専用の記録媒体を検出した場合、該記録媒体の物理ボリュームを論理ボリュームとして登録し、スタンドアロンモードに自動移行される。
【００２２】
これにより、制御装置２０をスタンドアロンで動作させる場合の複雑な設定手順が不要となるので、オペレータによるスタンドアロンの設定作業を簡易化することが可能になる。
【００２３】
次にストレージシステムの具体的な構成について説明する。図２は、第１の実施の形態のストレージシステムの構成例を示す図である。ストレージシステム１−１は、ライブラリ装置１０ａ、仮想テープ装置２およびホスト装置３を備える。なお、ホスト装置３は、１台のみ示されているが、仮想テープ装置２に複数台接続可能である。
【００２４】
仮想テープ装置２は、サーバ２０ａと、複数のＨＤＤ（Hard Disk Drive）を含むディスクアレイ装置２０ｂとを有する。なお、サーバ２０ａは、図１に示した制御装置２０の機能を有する。また、ライブラリ装置１０ａは、図１の記憶装置１０に対応する。
【００２５】
ここで、ストレージシステム１−１は、仮想テープライブラリシステムを実現する。仮想テープライブラリシステムとは、ライブラリ装置１０ａによって実現される大容量の記憶領域を、ホスト装置３が、仮想テープ装置２内のディスクアレイ装置２０ｂを通じて仮想的に利用できるようにしたものである。
【００２６】
この場合、サーバ２０ａは、ライブラリ装置１０ａ内の磁気テープをバックエンドライブラリとし、ディスクアレイ装置２０ｂ内のＨＤＤをキャッシュ装置とした階層型の仮想テープライブラリシステムとして動作するように制御する。なお、キャッシュ装置として用いる記憶装置としては、ＨＤＤの他、ＳＳＤ（Solid State Drive）などを利用することもできる。
【００２７】
図３は、第１の実施の形態のライブラリ装置とサーバの内部構成例を示す図である。なお、以降では、物理ボリュームをＰＶ（Physical Volume）、論理ボリュームをＬＶ（Logical Volume）と呼ぶ。
【００２８】
ライブラリ装置１０ａは、物理ドライブ（テープドライブ）１１とロボット搬送機１２を含む。物理ドライブ１１は、可搬型記録媒体（磁気テープなど）であるＰＶを格納する。また、物理ドライブ１１は、バーコードリーダ１１ａを含み、バーコードリーダ１１ａは、ＰＶに添付されているバーコードラベルの情報を読み出す。
【００２９】
ロボット搬送機１２は、スロット（図示せず）と物理ドライブ１１との間でＰＶの自動交換を行い、物理ドライブ１１へのＰＶのマウント／アンマウントを行う。
仮想テープ装置２は、サーバ２０ａと、ＴＶＣ（Tape Volume Cache）２０ｂ−１とを含む（図では、記憶領域として、ディスクアレイ装置２０ｂの一部としてＴＶＣ２０ｂ−１のみ示している）。また、仮想テープ装置２は、オペレータによってマニュアル操作可能な操作盤２０ｃを備えている。
【００３０】
ＴＶＣ２０ｂ−１は、図２のディスクアレイ装置２０ｂ内に含まれ、ＬＶのデータが格納される。操作盤２０ｃは、オペレータにユーザインタフェースを提供し、マニュアル操作にもとづいて、サーバ２０ａの動作設定などを行う。
【００３１】
サーバ２０ａは、サーバ制御部２１、ＰＶリスト２２、ＬＶリスト２３、論理機番リスト２４および表示板２５を含む。サーバ制御部２１は、サーバ２０ａの全体制御を行い、また、図１の検出部２ａおよび制御部２ｂの機能を有している。
【００３２】
ＰＶリスト２２は、ＰＶに関連する情報を登録するリストである。ＬＶリスト２３は、ＬＶに関連する情報を登録するリストである。論理機番リスト２４は、論理機番に関連する情報を登録するリストである。なお、これらリストの詳細構成は、図６〜図８で後述する。表示板２５は、オペレータに対して、本システムの運用情報などの表示を行う。
【００３３】
次にスタンドアロンを識別するための専用ラベルについて説明する。図４は、第１の実施の形態のスタンドアロン専用ラベルを示す図である。オペレータは、仮想テープ装置２をスタンドアロンで使用するＰＶに、スタンドアロン専用ラベルを貼り付けて使用する。スタンドアロン専用ラベルは、例えば、図４に示すようなバーコードラベルである。
【００３４】
また、スタンドアロンモードにおいて、イニシャル・プログラム・ロード（ＩＰＬ：Initial Program Load）動作専用とする場合には、ＩＰＬ動作用のスタンドアロン専用ラベルを用意する。また、ダンプ（ＤＭＰ：Dump）動作専用とする場合には、ＤＭＰ動作用のスタンドアロン専用ラベルを用意する。
【００３５】
ここで、スタンドアロンのジョブ動作としては、ＩＰＬ動作と、ＤＭＰ動作との２つがある。ＩＰＬ動作は、ＬＶからホスト装置３のソフトウェアを読み出して、ＬＶからホスト装置３へのアップロードを行う動作である。また、ＤＭＰ動作は、ホスト装置３のデータ（メモリコアデータ）をＬＶへ書き込んで、ホスト装置３からＬＶへのダウンロードを行う動作である。
【００３６】
図４に示すスタンドアロン専用ラベルＬ１は、読み取り専用のボリューム名として、“ＩＰＬnnn”と表示されているラベルであり、ＩＰＬ動作専用のＰＶに対して貼り付けられる。
【００３７】
また、スタンドアロン専用ラベルＬ２は、書き込み専用のボリューム名として、“ＤＭＰnnn”と表示されているラベルであり、ＤＭＰ動作専用のＰＶに対して貼り付けられる。なお、nは通し番号である。
【００３８】
図５は、第１の実施の形態のスタンドアロン専用ラベルの貼り付け位置を示す図である。ＰＶは、テープカートリッジ４に収められており、テープカートリッジ４にスタンドアロン専用ラベルＬ０が貼り付けられる。
【００３９】
テープカートリッジ４への貼り付け位置としては、例えば、ライトプロテクションスイッチが位置している側面に、スタンドアロン専用ラベルＬ０が貼り付けられる。
次にＰＶリスト２２、ＬＶリスト２３および論理機番リスト２４について説明する。仮想テープ装置２は、サーバ２０ａ内において、ＰＶリスト２２、ＬＶリスト２３および論理機番リスト２４を有している。
【００４０】
図６は、第１の実施の形態のＰＶリストの構成例を示す図である。ＰＶリスト２２は、ボリューム名、格納場所、サイズ、ステータスおよび物理機番の項目を有する。ボリューム名は、ＰＶのボリューム識別情報に該当する。
【００４１】
格納場所は、物理ドライブ１１でＰＶが格納されるアドレス情報である。サイズは、現在の使用量である。ステータスは、マウントまたはアンマウントのいずれかが示される。物理機番は、ホスト装置３がＰＶを認識する際に用いるＰＶの識別番号である。
【００４２】
図７は、第１の実施の形態のＬＶリストの構成例を示す図である。ＬＶリスト２３は、ボリューム名、格納場所、サイズ、ステータスおよび論理機番の項目を有する。ボリューム名は、ＬＶのボリューム識別情報に該当する。
【００４３】
格納場所は、ＴＶＣ２０ｂ−１でＬＶが格納されるアドレス情報である。サイズは、現在の使用量である。ステータスは、マウントまたはアンマウントのいずれかが示される。論理機番は、ホスト装置３がＬＶにアクセスする際に用いるＬＶの識別番号である。
【００４４】
ここで、ホスト装置３のＯＳを介してオンライン状態で仮想テープ装置２のデータ処理を行う動作（以下、オンライン通常動作と呼ぶ）を行う場合、オンライン通常動作が始まる前に、あらかじめ使用するボリューム名がＰＶリスト２２およびＬＶリスト２３に登録される。これに対して、本技術のスタンドアロンで動作する場合は、使用するボリューム名は、未登録状態である。
【００４５】
図８は、第１の実施の形態の論理機番リストの構成例を示す図である。論理機番リスト２４は、論理機番、ＯＮＬ／ＯＦＬ（オンライン／オフライン）フラグ、ホスト名、ステータス、マウントＬＶ名およびスタンドアロンモードフラグの項目を有する。
【００４６】
論理機番は、ＬＶに割り付けた論理機番を示す。ＯＮＬ／ＯＦＬフラグは、ＬＶに対してホスト装置３がオンライン通常動作を実施している場合にONL（オンライン）となり、スタンドアロンのオフライン処理時にはOFL（オフライン）となる。ホスト名は、オンライン通常動作を行うホスト装置３の識別情報である。
【００４７】
マウントＬＶ名は、ＰＶのデータがＬＶとして登録され、論理機番に該ＬＶがマウントされたときの該ＬＶのボリューム名（＝スタンドアロン専用ＰＶのボリューム名）である。スタンドアロンモードフラグは、新たに設けられた属性項目であり、スタンドアロンの動作時はON、オンライン通常動作ではOFFとなる。
【００４８】
ここで、オンライン通常動作の開始時には、ホスト装置３からVARY ONLINEコマンドが発行され、そのコマンドが発行された論理機番がオンラインとなる。また、オンラインとなった論理機番に、ＬＶのマウントコマンドが発行されると、該論理機番のステータスは、Not ReadyからReadyに変わり、ステータスの変化（Not Ready to Ready）がホスト装置３に通知される。
【００４９】
Ready中は、ホスト装置３からＬＶへのアクセスが可能となり、ホスト装置３のオンライン通常動作が開始される。そして、該論理機番を使い終わると、ホスト装置３からＬＶのアンマウントコマンドとVARY OFFLINEコマンドとが発行されてオフラインとなる。
【００５０】
このような動作に合わせて、論理機番リスト２４上のＯＮＬ／ＯＦＬフラグとホスト名とが更新されることになる。なお、スタンドアロンの場合は、ホスト装置３からはVARY ONLINE、VARY OFFLINE、マウントおよびアンマウントに関連するコマンドは発行されない。
【００５１】
次にスタンドアロンモードについて、スタンドアロン開始動作、スタンドアロンジョブ動作およびスタンドアロン終了動作に分けてそれぞれ詳しく説明する。まず、スタンドアロン開始動作について説明する。
【００５２】
図９は、第１の実施の形態のスタンドアロン開始動作の流れを説明するための図である。
〔Ｓ１〕物理ドライブ１１は、オペレータ操作により、スタンドアロン専用ラベルの貼られたＰＶをロードする（マニュアル操作）。
【００５３】
〔Ｓ２〕バーコードリーダ１１ａは、ＰＶに貼られているラベルのバーコードからボリューム名を読み取る。
〔Ｓ３〕サーバ制御部２１は、貼り付けラベルがスタンドアロン専用ラベルであり、かつボリューム名がＰＶリスト未登録であった場合、当該ＰＶをＰＶリスト２２に新規に登録する。
【００５４】
〔Ｓ４〕サーバ制御部２１は、貼り付けラベルがスタンドアロン専用ラベルであり、かつボリューム名がＬＶリスト未登録であった場合、ＰＶのボリューム名をＬＶのボリューム名にしてＬＶリスト２３に登録する。
【００５５】
〔Ｓ５〕サーバ制御部２１は、論理機番リスト２４から未使用の論理機番を割り付け、論理機番リスト２４上で、割り付けられた論理機番のスタンドアロンモードフラグをＯＮに設定する。
【００５６】
〔Ｓ６〕ホスト装置３は、割り付けられた論理機番に当該ＬＶをマウントする。
〔Ｓ７〕サーバ制御部２１は、ボリューム名がＩＰＬnnnの場合は、ＰＶのデータをＬＶへコピーする。
【００５７】
〔Ｓ８〕サーバ制御部２１は、スタンドアロンモードの準備が整ったことを表示板２５に表示する。
図１０、図１１は、第１の実施の形態のスタンドアロン開始動作を示すフローチャートである。
【００５８】
〔Ｓ２１〕物理ドライブ１１は、オペレータ操作により、スタンドアロン専用ラベルの貼られたスタンドアロン専用ＰＶを物理ドライブ１１へロードする（マニュアル操作）。
〔Ｓ２２〕バーコードリーダ１１ａは、ＰＶに貼られているラベルのバーコードからボリューム名を読み取る。
【００５９】
〔Ｓ２３〕サーバ制御部２１は、貼り付けラベルがスタンドアロン専用ラベルか否かを判断する。スタンドアロン専用ラベルの場合はステップＳ２４へ行き、そうでない場合はステップＳ２７へ行く。
【００６０】
〔Ｓ２４〕サーバ制御部２１は、読み取られたボリューム名がＰＶリスト２２に登録済みか否かを判断する。ＰＶリスト２２に未登録の場合はステップＳ２５へ行き、ＰＶリスト２２に登録されている場合はステップＳ２７へ行く。なお、ＰＶリスト２２がＰＶに関連する情報を登録し、かつＰＶに関連する情報としてＰＶのボリューム識別情報に該当するボリューム名を含むことから、ＰＶリスト２２は、ボリューム識別情報の登録の有無を示す登録情報に相当する。
【００６１】
〔Ｓ２５〕サーバ制御部２１は、物理ドライブ１１にロードされた当該ＰＶをＰＶリスト２２に登録する。
〔Ｓ２６〕サーバ制御部２１は、読み取られたボリューム名がＬＶリスト２３に登録済みか否かを判断する。ＬＶリスト２３に未登録の場合はステップＳ２８へ行き、ＬＶリスト２３に登録されている場合はステップＳ２７へ行く。
【００６２】
〔Ｓ２７〕サーバ制御部２１は、バーコードリーダ１１ａによる当該ＰＶの読み取り情報（ボリューム名など）を表示板２５に表示させる。そして、当該ＰＶにはスタンドアロン専用ラベルの添付がないこと、またはＰＶリスト２２もしくはＬＶリスト２３に、当該ＰＶは既に登録済みであることを、オペレータに通知する。
【００６３】
〔Ｓ２７ａ〕仮想テープ装置２とホスト装置３は、オンライン通常動作（ホスト装置３からVARY ONLINEコマンドが発行され、オンラインによるＬＶのデータ処理）を実行する。
【００６４】
〔Ｓ２８〕サーバ制御部２１は、当該ＰＶのボリューム名をＬＶのボリューム名と同一にしてＬＶリスト２３に登録する。例えば、当該ＰＶのボリューム名＝IPL000ならば、ＬＶリスト２３にボリューム名＝IPL000が登録される（図７参照）。
【００６５】
〔Ｓ２９〕サーバ制御部２１は、ステップＳ２８でＬＶリスト２３に登録した当該ＬＶに対して、論理機番リスト２４で未使用の論理機番を割り当てる。
〔Ｓ３０〕サーバ制御部２１は、論理機番リスト２４に登録した当該ＬＶに対応するスタンドアロンモードフラグをＯＮに設定する。
【００６６】
〔Ｓ３１〕サーバ制御部２１は、割り付けられた論理機番に当該ＬＶをマウントする。ここまでの状態において、例えば、ＬＶボリューム名がIPL000で、割り付けられた論理機番が0000であるならば、論理機番リスト２４では、論理機番＝0000、ＯＮＬ／ＯＦＬフラグ＝OFL、マウントＬＶ名＝IPL000、スタンドアロンモードフラグ＝ONが登録される（図８参照）。
【００６７】
〔Ｓ３２〕サーバ制御部２１は、当該ＰＶに添付されているスタンドアロン専用ラベルのボリューム名がＩＰＬnnnか否かを判断する（すなわち、読み取り専用であるか否かを判断する）。ＩＰＬnnnである場合はステップＳ３３へ行き、ＩＰＬnnnでない場合はステップＳ３４へ行く。
【００６８】
〔Ｓ３３〕サーバ制御部２１は、当該ＰＶのデータをＬＶへコピーする。
〔Ｓ３４〕サーバ制御部２１は、スタンドアロン開始動作が整ったことを表示板２５に表示する。
【００６９】
以上説明したように、スタンドアロン開始時には、オペレータは、図４に示したようなスタンドアロン専用ラベルが貼られたＰＶを物理ドライブ１１へロードする。その後、ＰＶがセットされたことが検出されると、ラベルがスタンドアロン専用ラベル以外の場合、またはラベルがスタンドアロン専用ラベルであっても当該ラベルのボリューム名が登録済みの場合は、スタンドアロンモードへは移行せずにオンライン通常動作が実施される。
【００７０】
一方、ラベルがスタンドアロン専用ラベルであり、かつ当該ラベルのボリューム名が未登録の場合は、ＬＶのボリューム名をＰＶと同じボリューム名で登録し、未使用の論理機番を割り付け、割り付けた論理機番をスタンドアロンモードに設定する（論理機番リスト２４のスタンドアロンモードフラグをＯＮにする）。そして、割り付けた論理機番に当該ＬＶをマウントする。
【００７１】
このような制御によって、仮想テープ装置２は、スタンドアロン専用記録媒体を適切に判別して、スタンドアロンモードへ自動的に移行する。これにより、オペレータは、スタンドアロン専用ラベルを貼り付けたＰＶをロードするだけで、スタンドアロンモードが設定できるので、設定作業が簡易化する。
【００７２】
また、従来では、仮想テープ装置にスタンドアロンを設定する場合、設定操作が複雑なため、設定ミスが起きやすく障害発生の要因になっているが、本技術によれば、簡易な設定でスタンドアロンモードに移行するため、設定ミスを無くすことができ、障害発生の要因も低減することが可能になる。
【００７３】
次にスタンドアロンジョブ動作について説明する。スタンドアロンジョブ動作には、主に、ＩＰＬ動作とＤＭＰ動作の２つがある。さらに、ＩＰＬ動作またはＤＭＰ動作の実行中において、他ホストからのアクセスをガードするためのガード制御が実行される。
【００７４】
図１２は、第１の実施の形態のスタンドアロンジョブ動作およびガード制御の動作を説明するための図である。
〔Ｓ４１〕ホスト装置３ａのコンソールは、オペレータ操作により、ＩＰＬ動作またはＤＭＰ動作を実行する。なお、ＩＰＬ動作は、ホストのソフトウェアをＬＶからアップロードする動作であるから、ホスト装置３ａから仮想テープ装置２へ読み出しコマンドが連続して発行される。
【００７５】
一方、ＤＭＰ動作は、ホスト装置３ａのメモリコアデータをＬＶへダウンロードする動作であるから、ホスト装置３ａから仮想テープ装置２へ書き込みコマンドが連続して発行される。
【００７６】
〔Ｓ４２〕サーバ制御部２１は、ＩＰＬ動作またはＤＭＰ動作中において、論理機番リスト２４のスタンドアロンモードフラグがＯＮとなっている論理機番のＬＶに対して、他ホスト（例えば、ホスト装置３ｂ）からアクセスが行えないようにガードする。
【００７７】
具体的には、スタンドアロンモードフラグＯＮ後に、他ホストから当該ＬＶにVARY ONLINEコマンドが送信された場合、他ホストに対して現在使用中である旨を示すエラーを通知する。
【００７８】
なお、サーバ制御部２１は、読み取り専用ラベルＩＰＬnnnがマウントされている論理機番のＬＶに対して、書き込みコマンドが発行された場合においても、書き込みコマンドを発行したホストにエラーを通知する。
【００７９】
図１３は、第１の実施の形態のスタンドアロンジョブ動作およびガード制御の動作を示すフローチャートである。
〔Ｓ５１〕ホスト装置３ａのコンソールから、ＩＰＬ動作およびＤＭＰ動作を実行する。
【００８０】
〔Ｓ５２〕サーバ制御部２１は、ホスト装置３ｂからVARY ONLINEコマンドが発行されたか否かを判断する。発行された場合はステップＳ５３へ行き、発行されない場合はステップＳ５４へ行く。
【００８１】
〔Ｓ５３〕サーバ制御部２１は、ホスト装置３ｂに対して、他ホストが使用中のエラーを返す。
〔Ｓ５４〕サーバ制御部２１は、ホスト装置３ａからボリューム名がＩＰＬnnnの機番に書き込みコマンドが発行されたか否かを判断する。発行された場合はステップＳ５５へ行き、発行されない場合は終了する。
【００８２】
〔Ｓ５５〕サーバ制御部２１は、ホスト装置３ａにエラーを通知する。
以上説明したように、仮想テープ装置２は、スタンドアロンジョブ動作の実行時、論理機番リストのスタンドアロンモードフラグがONとなった論理機番のＬＶに対して、他ホストからのアクセスが行えないようにガード制御を行う。これにより、データ破壊を防止することが可能になる。
【００８３】
次にスタンドアロン終了動作について説明する。図１４は、第１の実施の形態のスタンドアロン終了動作の流れを説明するための図である。
〔Ｓ６１〕ホスト装置３のコンソールは、スタンドアロン動作の終了を認識する。
【００８４】
〔Ｓ６２〕仮想テープ装置２の操作盤２０ｃは、オペレータ操作を通じて、論理機番を指定してスタンドアロンモード動作終了を指示する。
〔Ｓ６３〕サーバ制御部２１は、指定された論理機番のＬＶをアンマウントする。
【００８５】
〔Ｓ６４〕サーバ制御部２１は、ＬＶのボリューム名がＤＭＰnnnの場合は、ＬＶのデータをＰＶへコピーする。
〔Ｓ６５〕サーバ制御部２１は、ＰＶを物理ドライブ１１からアンロードする。
【００８６】
〔Ｓ６６〕サーバ制御部２１は、ＬＶをＬＶリスト２３の登録から削除する。
〔Ｓ６７〕サーバ制御部２１は、ＰＶをＰＶリスト２２の登録から削除する。
〔Ｓ６８〕サーバ制御部２１は、論理機番リスト２４のスタンドアロンモードフラグをＯＦＦにする。
【００８７】
〔Ｓ６９〕サーバ制御部２１は、スタンドアロンモード終了を表示板２５に表示する。
図１５は、第１の実施の形態のスタンドアロン終了動作を示すフローチャートである。
〔Ｓ７１〕ホスト装置３のコンソールは、スタンドアロンジョブ動作の終了を認識する。
【００８８】
〔Ｓ７２〕仮想テープ装置２の操作盤２０ｃは、オペレータ操作を通じて、論理機番を指定して、スタンドアロンモード終了を指示する。
〔Ｓ７３〕サーバ制御部２１は、指定された論理機番のＬＶをアンマウントする。
【００８９】
〔Ｓ７４〕サーバ制御部２１は、ボリューム名が書き込み専用（ＤＭＰnnn）か否かを判断する。書き込み専用である場合はステップＳ７５へ行き、そうでない場合はステップＳ７６へ行く。
【００９０】
〔Ｓ７５〕サーバ制御部２１は、ＬＶのデータをＰＶへコピーする。
〔Ｓ７６〕サーバ制御部２１は、ＰＶを物理ドライブ１１からアンマウントする。
〔Ｓ７７〕サーバ制御部２１は、ＬＶをＬＶリスト２３の登録から削除する。
【００９１】
〔Ｓ７８〕サーバ制御部２１は、ＰＶをＰＶリスト２２の登録から削除する。
〔Ｓ７９〕サーバ制御部２１は、論理機番リスト２４から論理機番割り付けを外す。
〔Ｓ８０〕サーバ制御部２１は、論理機番リスト２４のスタンドアロンモードフラグをＯＦＦにする。
【００９２】
〔Ｓ８１〕サーバ制御部２１は、スタンドアロンモード終了を表示する。
以上説明したように、スタンドアロン動作を終了する場合、仮想テープ装置２は、ＬＶを仮想テープ装置２内でアンマウントし、ボリューム名が書き込み専用ラベル名の場合は、ＬＶのデータをＰＶにコピーする。そして、ＰＶをアンマウントした後、ＬＶリスト２３、ＰＶリスト２２から登録を削除して、論理機番リスト２４のスタンドアロンモードフラグをＯＦＦにする。
【００９３】
このような制御により、オペレータは、単に、スタンドアロンを終了させたい論理機番を指定するだけで、スタンドアロンモードの終了が自動的に行われるので、スタンドアロンの終了処理を容易に行うことが可能になり、また、オンライン通常動作へもすみやかに移行することが可能になる。
【００９４】
次に仮想テープ装置２のハードウェア構成について説明する。図１６は、第１の実施の形態の仮想テープ装置のハードウェア構成例を示す図である。仮想テープ装置２は、図１６のようなコンピュータとして実現される。仮想テープ装置２は、ＣＰＵ（Central Processing Unit）２１１によって装置全体が制御されている。ＣＰＵ２１１には、バス２１９を介して、ＲＡＭ（Random Access Memory）２１２および複数の周辺機器が接続されている。
【００９５】
ＲＡＭ２１２は、仮想テープ装置２の主記憶装置として使用される。ＲＡＭ２１２には、ＣＰＵ２１１に実行させるファームウェアプログラムの少なくとも一部が一時的に格納される。また、ＲＡＭ２１２には、ＣＰＵ２１１による処理に必要な各種データが格納される。
【００９６】
バス２１９に接続されている周辺機器としては、例えば、フラッシュメモリ２１３、入力インタフェース２１４、光学ドライブ装置２１５、ホストインタフェース２１６、ディスクインタフェース２１７およびテープインタフェース２１８がある。
【００９７】
フラッシュメモリ２１３は、仮想テープ装置２の二次記憶装置として使用される。フラッシュメモリ２１３には、ファームウェアプログラムおよび各種データが格納される。なお、二次記憶装置としては、ＨＤＤなどの他の種類の不揮発性記憶装置が使用されてもよい。
【００９８】
入力インタフェース２１４には、例えば、各種の操作キーなどを備える入力装置２１４ａ（操作盤２０ｃに該当）が接続可能になっている。入力インタフェース２１４は、入力装置２１４ａからの信号を、バス２１９を介してＣＰＵ２１１に送信する。なお、入力装置２１４ａは、仮想テープ装置２に搭載されていてもよい。
【００９９】
光学ドライブ装置２１５は、レーザ光などを利用して、光ディスク２１５ａに記録されたデータの読み取りを行う。光ディスク２１５ａは、光の反射によって読み取り可能なようにデータが記録された可搬型の記録媒体である。光ディスク２１５ａには、例えば、ＤＶＤ（Digital Versatile Disc）、ＤＶＤ−ＲＡＭ、ＣＤ−ＲＯＭ（Compact Disc Read Only Memory）、ＣＤ−Ｒ（Recordable）／ＲＷ（Rewritable）などがある。
【０１００】
ホストインタフェース２１６は、ホスト装置３との間でデータを送受信する通信インタフェースである。ディスクインタフェース２１７は、ディスクアレイ装置２０ｂとの間でデータを送受信する通信インタフェースである。テープインタフェース２１８は、ライブラリ装置１０ａとの間でデータを送受信する通信インタフェースである。
【０１０１】
以上のようなハードウェア構成によって、本実施の形態の処理機能を実現することができる。また、コンピュータで本実施の形態の処理機能を実現する場合、仮想テープ装置２が有する機能の処理内容を記述したプログラムが提供される。
【０１０２】
そのプログラムをコンピュータで実行することにより、上記処理機能がコンピュータ上で実現される。処理内容を記述したプログラムは、コンピュータで読み取り可能な記録媒体に記録しておくことができる。コンピュータで読み取り可能な記録媒体としては、磁気記憶装置、光ディスク、光磁気記録媒体、半導体メモリなどがある。磁気記憶装置には、ハードディスク装置（ＨＤＤ）、フレキシブルディスク（ＦＤ）、磁気テープなどがある。光ディスクには、ＤＶＤ、ＤＶＤ−ＲＡＭ、ＣＤ−ＲＯＭ／ＲＷなどがある。光磁気記録媒体には、ＭＯ（Magneto Optical disk）などがある。なおプログラムを記録する記録媒体には、一時的な伝搬信号自体は含まれない。
【０１０３】
プログラムを流通させる場合には、例えば、そのプログラムが記録されたＤＶＤ、ＣＤ−ＲＯＭなどの可搬型記録媒体が販売される。また、プログラムをサーバコンピュータの記憶装置に格納しておき、ネットワークを介して、サーバコンピュータから他のコンピュータにそのプログラムを転送することもできる。
【０１０４】
プログラムを実行するコンピュータは、例えば、可搬型記録媒体に記録されたプログラムもしくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、サーバコンピュータからプログラムが転送されるごとに、逐次、受け取ったプログラムに従った処理を実行することもできる。
【０１０５】
また、上記の処理機能の少なくとも一部を、ＤＳＰ（Digital Signal Processor）、ＡＳＩＣ（Application Specific Integrated Circuit）、ＰＬＤ（Programmable Logic Device）などの電子回路で実現することもできる。
【０１０６】
以上説明したように、本技術によれば、スタンドアロン専用のラベルを設けることにより、通常ジョブで使用するボリュームと、スタンドアロンジョブで使用するボリュームとが分離でき、操作ミスを低減することが可能になる。
【０１０７】
また、未登録の専用ボリュームラベルを貼ったＰＶをマウントすることにより、仮想テープ装置が自動的にスタンドアロン動作モード開始を判別して所定のシーケンス動作を行い、また、スタンドアロンジョブで使用中の論理機番を、他のホストから使われないようにする。
【０１０８】
これにより、スタンドアロンジョブで使用する論理機番と、オンラインの通常ジョブで使用する論理機番とを区別することができ、二重割り付けなどによって発生するデータ破壊を防止することが可能になる。
【０１０９】
以上、実施の形態を例示したが、実施の形態で示した各部の構成は同様の機能を有する他のものに置換することができる。また、他の任意の構成物や工程が付加されてもよい。
［第２の実施の形態］
以下、本発明の第２の実施の形態を図面を参照して説明する。第１の実施の形態のストレージシステム１は、スタンドアロンモードへの移行に際して記憶装置１０へのスタンドアロン専用記録媒体の搬入と、スタンドアロンモード終了に際して記憶装置１０からのスタンドアロン専用記録媒体の搬出を要する。オペレータは、スタンドアロン専用記録媒体の記憶装置１０への搬入作業、またはスタンドアロン専用記録媒体の記憶装置１０からの搬出作業を行うにあたり記憶装置１０に赴くことを要する。
【０１１０】
しかしながら、実運用においては、同じスタンドアロン専用記録媒体を使用することが多く、スタンドアロン専用記録媒体を使用する都度に、スタンドアロン専用記録媒体の搬入または搬出を行うことは、オペレータにとって煩わしい。
【０１１１】
そこで、第２の実施の形態のストレージシステム、制御装置およびプログラムは、更なる設定作業の簡易化を図るものであり、１態様によれば、設定作業を簡易化することが可能になる。
【０１１２】
図１７は、第２の実施の形態のストレージシステムの構成例を示す図である。ストレージシステム１−２は、記憶装置１０、制御装置２０−２およびホスト装置３を備える。
記憶装置１０は、可搬型の記録媒体を備え、記録媒体に対して読み出し／書き込みを行う。記録媒体としては、磁気テープや光ディスク、光磁気ディスクなどがある。特に磁気テープは、ストレージシステム１におけるバックエンドの大容量記憶領域を実現する記録媒体として利用される。また、記憶装置１０は、スタンドアロン専用記録媒体ＥＭを記憶装置１０から搬入または搬出可能であり、スタンドアロン専用記録媒体ＥＭを搬入したまま備えておくこともできる。
【０１１３】
制御装置２０−２は、記憶部２ｃと制御部２ｄを含む。記憶部２ｃは、スタンドアロン情報を記憶する。スタンドアロン情報は、ボリューム名と、検出済みのスタンドアロン専用記録媒体ＥＭのＰＶおよびＬＶとを対応付けた情報である。
【０１１４】
制御部２ｄは、ボリューム名を指定したスタンドアロン動作の指示を受け付ける。スタンドアロン動作は、オペレータによって支持され、制御部２ｄは、ホスト装置３を介してスタンドアロン動作の指示を受け付ける。
【０１１５】
制御部２ｄは、スタンドアロン動作の指示を受け付けると、スタンドアロン情報を参照する。制御部２ｄは、スタンドアロン動作の指示により指定されたボリュームとスタンドアロン情報に含まれるボリュームとが一致（第１の条件）するか否かを判定する。また、制御部２ｄは、スタンドアロンの動作モードで使用すべきスタンドアロン専用記録媒体ＥＭが、スタンドアロン動作の指示で指定されたボリュームに対応付けられて記憶装置１０に格納されている（第２の条件）か否かを判定する。制御部２ｄは、第１の条件と第２の条件がともに成立する場合に、スタンドアロン動作の指示により指定されたボリュームに対応するＰＶをＬＶとして登録して、動作モードをスタンドアロンモードに移行する。
【０１１６】
ホスト装置３は、オペレータの入力操作に応じて制御装置２０−２にアクセス要求を発し、制御装置２０−２内のＬＶにアクセスしてデータ処理（読み出し／書き込み処理）を行う。また、ホスト装置３は、オペレータの入力操作に応じて制御装置２０にスタンドアロン動作の指示を発する。
【０１１７】
ここで、第１の実施の形態のストレージシステム１は、スタンドアロン専用の記録媒体を検出した場合、該記録媒体のＰＶをＬＶとして登録し、スタンドアロンモードに自動移行する。このとき、オペレータは、スタンドアロン専用記録媒体ＥＭの搬入または搬出を行う。
【０１１８】
一方、第２の実施の形態のストレージシステム１−２は、スタンドアロン専用の記録媒体を記憶装置１０に格納したままで、該記録媒体のＰＶをＬＶとして登録し、スタンドアロンモードに自動移行する。このとき、オペレータは、スタンドアロン専用記録媒体ＥＭの搬入または搬出を要しない。
【０１１９】
これにより、制御装置２０をスタンドアロンで動作させる場合の複雑な設定手順が不要となるばかりかオペレータの作業負荷を軽減して、オペレータによるスタンドアロンの設定作業を簡易化することが可能になる。
【０１２０】
次に、第２の実施の形態のストレージシステムについて説明する。第２の実施の形態の具体的な構成は、図２を用いて示した第１の実施の形態のストレージシステムの構成例と同様である。第２の実施の形態のストレージシステムは、第１の実施の形態のストレージシステム１−１と同様に、ライブラリ装置１０ａ、仮想テープ装置２およびホスト装置３を備える。第２の実施の形態は、第１の実施の形態の仮想テープ装置が有するサーバ２０ａを、第２の実施の形態のサーバに置換する点で相違する。
【０１２１】
図１８は、第２の実施の形態のライブラリ装置とサーバの内部構成例を示す図である。なお、説明を簡単にするために、第１の実施の形態と同様の構成については、符号を同じにして説明を省略する。
【０１２２】
ストレージシステム１−３は、ライブラリ装置１０ａ、仮想テープ装置２−３およびホスト装置３を備える。なお、ホスト装置３は、１台のみ示されているが、仮想テープ装置２−３に複数台接続可能である。
【０１２３】
仮想テープ装置２−３は、サーバ２０ａ−３と、複数のＨＤＤを含むディスクアレイ装置２０ｂとを有する。なお、サーバ２０ａ−３は、図１７に示した制御装置２０−２の機能を有する。また、ライブラリ装置１０ａは、図１７に示した記憶装置１０に対応する。ここで、ストレージシステム１−３は、仮想テープライブラリシステムを実現する。
【０１２４】
この場合、サーバ２０ａ−３は、ライブラリ装置１０ａ内の磁気テープをバックエンドライブラリとし、ディスクアレイ装置２０ｂ内のＨＤＤをキャッシュ装置とした階層型の仮想テープライブラリシステムとして動作するように制御する。
【０１２５】
仮想テープ装置２−３は、サーバ２０ａ−３と、ＴＶＣ２０ｂ−１とを含む（図では、記憶領域として、ディスクアレイ装置２０ｂの一部としてＴＶＣ２０ｂ−１のみ示している）。また、仮想テープ装置２−３は、オペレータによってマニュアル操作可能な操作盤２０ｃを備えている。
【０１２６】
ＴＶＣ２０ｂ−１は、図２に示したディスクアレイ装置２０ｂ内に含まれ、ＬＶのデータが格納される。操作盤２０ｃは、オペレータにユーザインタフェースを提供し、マニュアル操作にもとづいて、サーバ２０ａ−３の動作設定などを行う。
【０１２７】
サーバ２０ａ−３は、サーバ制御部２１、ＰＶリスト２２、ＬＶリスト２３、論理機番リスト２４、スタンドアロン処理済みリスト３０、および表示板２５を含む。サーバ制御部２１は、サーバ２０ａ−３の全体制御を行い、また、図１７に示した制御部２ｄの機能を有している。なお、ＰＶリスト２２、ＬＶリスト２３、論理機番リスト２４、およびスタンドアロン処理済みリスト３０は、例えば、図１６に示したＲＡＭ２１２、フラッシュメモリ２１３などに記憶される。この場合、スタンドアロン処理済みリスト３０を記憶するＲＡＭ２１２、フラッシュメモリ２１３などは、図１７に示した記憶部２ｃの機能を有している。
【０１２８】
ＰＶリスト２２は、ＰＶに関連する情報を登録するリストである。ＬＶリスト２３は、ＬＶに関連する情報を登録するリストである。論理機番リスト２４は、論理機番に関連する情報を登録するリストである。スタンドアロン処理済みリスト３０は、スタンドアロン処理済みのボリュームに関する情報（スタンドアロン情報）を登録するリストである。なお、ＰＶリスト２２、ＬＶリスト２３、および論理機番リスト２４の詳細は、第１の実施の形態で説明したとおりである。スタンドアロン処理済みリスト３０の詳細構成は、図１９で後述する。表示板２５は、オペレータに対して、本システムの運用情報などの表示を行う。
【０１２９】
図１９は、第２の実施の形態のスタンドアロン処理済みリストの構成例を示す図である。スタンドアロン処理済みリスト３０は、ボリューム名、ＬＶ格納場所、ＰＶ格納場所、および処理終了日の項目を有する。ボリューム名は、ＰＶのボリューム識別情報に該当する。ＰＶ格納場所は、物理ドライブ１１でＰＶが格納されるアドレス情報である。ＬＶ格納場所は、ＴＶＣ２０ｂ−１でＬＶが格納されるアドレス情報である。処理終了日は、最後にスタンドアロン処理を終了した日である。なお、処理終了日は、処理終了時間を含むものであってもよい。
【０１３０】
例えば、スタンドアロン処理済みリスト３０は、ＬＶ＝XXX1に格納し、ＰＶ＝YYY1に格納したボリューム（ボリューム名＝IPL000）について、処理終了日＝Y1M1D1にスタンドアロン処理を終了したことを示す。
【０１３１】
次に、第２の実施の形態のスタンドアロンモードについて、スタンドアロン開始動作、およびスタンドアロン終了動作に分けてそれぞれ詳しく説明する。なお、スタンドアロンジョブ動作については、第１の実施の形態のスタンドアロンモードと同様であるため、説明を省略する。まず、スタンドアロン開始動作について図２０を用いて説明する。図２０は、第２の実施の形態のスタンドアロン開始動作の流れを説明するための図である。
【０１３２】
〔Ｓ１０１〕サーバ制御部２１は、操作盤２０ｃからのスタンドアロン開始コマンドの入力、またはスタンドアロン専用記録媒体の物理ドライブへのマウントを検出する。サーバ制御部２１は、スタンドアロン開始コマンドの入力を検出した場合にステップＳ１０２へ行き、スタンドアロン専用記録媒体の物理ドライブへのマウントを検出した場合にステップＳ１０５へ行く。
【０１３３】
なお、スタンドアロン開始コマンドは、ボリューム名の指定を含み、例えば操作盤２０ｃのオペレータ操作により入力される。
〔Ｓ１０２〕サーバ制御部２１は、スタンドアロン処理済みリスト３０を参照し、スタンドアロン処理済みリスト３０がスタンドアロン開始コマンドで指定されたボリューム名を含むか否かを判定する。サーバ制御部２１は、スタンドアロン処理済みリスト３０がスタンドアロン開始コマンドで指定されたボリューム名を含まない場合に、表示板２５にエラーメッセージを表示する。
【０１３４】
〔Ｓ１０３〕サーバ制御部２１は、スタンドアロン処理済みリスト３０がスタンドアロン開始コマンドで指定されたボリューム名を含む場合に、指定されたボリューム名に対応するＰＶがライブラリ装置１０ａに格納されているか否かを判定する。サーバ制御部２１は、指定されたボリューム名に対応するＰＶをスタンドアロン処理済みリスト３０を参照して特定することができる。サーバ制御部２１は、指定されたボリューム名に対応するＰＶがライブラリ装置１０ａに格納されていない場合に、表示板２５にエラーメッセージを表示し、スタンドアロン動作を開始しない。
【０１３５】
〔Ｓ１０４〕サーバ制御部２１は、指定されたボリューム名に対応するＰＶを物理ドライブ１１にマウントする。例えば、物理ドライブ１１がテープドライブである場合に、スタンドアロン専用記録媒体をロードする。
【０１３６】
〔Ｓ１０５〕サーバ制御部２１は、指定されたボリューム名に対応するＰＶが物理ドライブ１１にマウントされたことを確認し、バーコードリーダ１１ａで読み取ったＰＶのボリューム名を取得する。
【０１３７】
〔Ｓ１０６〕サーバ制御部２１は、ＰＶにスタンドアロン専用ラベルが付され、かつＰＶのボリューム名がＰＶリスト２２に未登録である場合に、ＰＶのボリューム名をＰＶリスト２２に登録する。
【０１３８】
〔Ｓ１０７〕サーバ制御部２１は、ＰＶにスタンドアロン専用ラベルが付され、かつＬＶのボリューム名がＬＶリスト２３に未登録である場合に、ＬＶのボリューム名をＰＶのボリューム名と同じにしてＬＶリスト２３に登録する。
【０１３９】
〔Ｓ１０８〕サーバ制御部２１は、バーコードリーダ１１ａで読み取ったラベルがスタンドアロン専用ラベルでない場合に表示板２５にエラーメッセージを表示し、スタンドアロン動作を開始しない。また、サーバ制御部２１は、読み取ったＰＶのボリューム名がＰＶリスト２２またはＬＶリスト２３に登録済みの場合に表示板２５にエラーメッセージを表示し、スタンドアロン動作を開始しない。
【０１４０】
〔Ｓ１０９〕サーバ制御部２１は、論理機番リスト２４から未使用の論理機番を割り付ける。
〔Ｓ１１０〕サーバ制御部２１は、論理機番リスト２４上で、割り付けられた論理機番のスタンドアロンモードフラグをＯＮに設定する。
【０１４１】
〔Ｓ１１１〕ホスト装置３は、割り付けられた論理機番に当該ＬＶをマウントする。
〔Ｓ１１２〕サーバ制御部２１は、ボリューム名がＩＰＬnnnの場合は、ＰＶのデータをＬＶへコピーする。
【０１４２】
〔Ｓ１１３〕サーバ制御部２１は、スタンドアロンモードの準備が整ったことを表示板２５に表示する。
これにより、ストレージシステム１−３は、スタンドアロン専用記録媒体についての最初のスタンドアロン処理について第１の実施の形態のスタンドアロン開始動作と同様に処理できる。また、ストレージシステム１−３は、２回目以降のスタンドアロン処理においてスタンドアロン専用記録媒体の記憶装置１０への搬入作業を要しない。
【０１４３】
したがって、ストレージシステム１−３は、オペレータにとって煩わしい作業を軽減し、設定作業の簡易化を図ったスタンドアロンモードを実行可能にする。
次に、サーバ制御部２１が実行するスタンドアロン開始動作にかかる処理について図２１、図２２を用いて説明する。図２１、図２２は、第２の実施の形態のスタンドアロン開始動作を示すフローチャートである。
【０１４４】
〔Ｓ１２１〕サーバ制御部２１は、スタンドアロン開始コマンドの入力を検出したか否かを判定する。サーバ制御部２１は、スタンドアロン開始コマンドの入力を検出した場合にステップＳ１２２へ行き、スタンドアロン開始コマンドの入力を検出しない場合にステップＳ１２５へ行く。
【０１４５】
〔Ｓ１２２〕サーバ制御部２１は、スタンドアロン開始コマンドで指定されたボリューム名がスタンドアロン処理済みリスト３０に登録されているか否かを判定する。サーバ制御部２１は、スタンドアロン開始コマンドで指定されたボリューム名がスタンドアロン処理済みリスト３０に登録されている場合にステップＳ１２３へ行き、登録されていない場合にステップＳ１３８へ行く。
【０１４６】
〔Ｓ１２３〕サーバ制御部２１は、指定されたボリューム名に対応するＰＶ（スタンドアロン専用ＰＶ）がライブラリ装置１０ａに格納されているか否かを判定する。サーバ制御部２１は、スタンドアロン専用ＰＶがライブラリ装置１０ａに格納されている場合にステップＳ１２４へ行き、格納されていない場合にステップＳ１３８へ行く。
【０１４７】
〔Ｓ１２４〕サーバ制御部２１は、スタンドアロン専用ＰＶを物理ドライブ１１にマウントする。
〔Ｓ１２５〕サーバ制御部２１は、スタンドアロン専用ＰＶが物理ドライブ１１にマウントされたか否かを判定する。サーバ制御部２１は、スタンドアロン専用ＰＶが物理ドライブ１１にマウントされた場合にステップＳ１２６へ行き、マウントされていない場合にステップＳ１２１へ行く。
【０１４８】
〔Ｓ１２６〕サーバ制御部２１は、バーコードリーダ１１ａで読み取ったＰＶのボリューム名を取得する。
〔Ｓ１２７〕サーバ制御部２１は、バーコードリーダ１１ａで読み取ったラベルがスタンドアロン専用ラベルであるか否かを判定する。サーバ制御部２１は、バーコードリーダ１１ａで読み取ったラベルがスタンドアロン専用ラベルである場合にステップＳ１２８へ行き、スタンドアロン専用ラベルでない場合にステップＳ１３８へ行く。
【０１４９】
〔Ｓ１２８〕サーバ制御部２１は、スタンドアロン専用ＰＶのボリューム名がＰＶリスト２２に登録されているか否かを判定する。サーバ制御部２１は、スタンドアロン専用ＰＶのボリューム名がＰＶリスト２２に登録されている場合にステップＳ１３８へ行き、登録されていない場合にステップＳ１２９へ行く。
【０１５０】
〔Ｓ１２９〕サーバ制御部２１は、スタンドアロン専用ＰＶのボリューム名をＰＶリスト２２に登録する。
〔Ｓ１３０〕サーバ制御部２１は、スタンドアロン専用ＰＶのボリューム名がＬＶリスト２３に登録されているか否かを判定する。サーバ制御部２１は、スタンドアロン専用ＰＶのボリューム名がＬＶリスト２３に登録されている場合にステップＳ１３８へ行き、登録されていない場合にステップＳ１３１へ行く。
【０１５１】
〔Ｓ１３１〕サーバ制御部２１は、スタンドアロン専用ＰＶのボリューム名をＬＶリスト２３に登録する。例えば、スタンドアロン専用ＰＶのボリューム名＝IPL000ならば、ＬＶリスト２３にボリューム名＝IPL000が登録される（図７参照）。
【０１５２】
〔Ｓ１３２〕サーバ制御部２１は、ステップＳ１３０でＬＶリスト２３に登録した当該ＬＶに対して、論理機番リスト２４で未使用の論理機番を割り当てる。
〔Ｓ１３３〕サーバ制御部２１は、論理機番リスト２４に登録した当該ＬＶに対応するスタンドアロンモードフラグをＯＮに設定する。
【０１５３】
〔Ｓ１３４〕サーバ制御部２１は、割り付けられた論理機番に当該ＬＶをマウントする。ここまでの状態において、例えば、ＬＶボリューム名がIPL000で、割り付けられた論理機番が0000であるならば、論理機番リスト２４では、論理機番＝0000、ＯＮＬ／ＯＦＬフラグ＝OFL、マウントＬＶ名＝IPL000、スタンドアロンモードフラグ＝ONが登録される（図８参照）。
【０１５４】
〔Ｓ１３５〕サーバ制御部２１は、当該ＰＶに添付されているスタンドアロン専用ラベルのボリューム名がＩＰＬnnnであるか否かを判定する（すなわち、読み取り専用であるか否かを判定する）。サーバ制御部２１は、当該ＰＶに添付されているスタンドアロン専用ラベルのボリューム名がＩＰＬnnnである場合にステップＳ１３６へ行き、ＩＰＬnnnでない場合にステップＳ１３７へ行く。
【０１５５】
〔Ｓ１３６〕サーバ制御部２１は、当該ＰＶのデータをＬＶへコピーする。
〔Ｓ１３７〕サーバ制御部２１は、スタンドアロン開始動作準備完了（スタンドアロン開始動作が整ったこと）を表示板２５に表示する。
【０１５６】
〔Ｓ１３８〕サーバ制御部２１は、当該ＰＶにはスタンドアロン専用ラベルの添付がないこと、またはＰＶリスト２２もしくはＬＶリスト２３に、当該ＰＶは既に登録済みであることを、オペレータに通知する。例えば、サーバ制御部２１は、オペレータへの通知を、バーコードリーダ１１ａによる当該ＰＶの読み取り情報（ボリューム名など）とともに、表示板２５に表示させる。
【０１５７】
〔Ｓ１３９〕サーバ制御部２１は、スタンドアロン動作を開始せず、オンライン通常動作を実行する。
以上説明したように、最初のスタンドアロン開始時に、オペレータは、図４に示したようなスタンドアロン専用ラベルが貼られたＰＶを物理ドライブ１１へロードする。２回目以降のスタンドアロン開始時に、オペレータは、スタンドアロン専用ラベルが貼られたＰＶを物理ドライブ１１へロードすることを要しない。
【０１５８】
その後、ＰＶがセットされたことが検出されると、ラベルがスタンドアロン専用ラベル以外の場合、またはラベルがスタンドアロン専用ラベルであっても当該ラベルのボリューム名が登録済みの場合は、スタンドアロンモードへは移行せずにオンライン通常動作が実施される。
【０１５９】
一方、ラベルがスタンドアロン専用ラベルであり、かつ当該ラベルのボリューム名が未登録の場合は、ＬＶのボリューム名をＰＶと同じボリューム名で登録し、未使用の論理機番を割り付け、割り付けた論理機番をスタンドアロンモードに設定する（論理機番リスト２４のスタンドアロンモードフラグをＯＮにする）。そして、割り付けた論理機番に当該ＬＶをマウントする。
【０１６０】
このような制御によって、仮想テープ装置２−３は、スタンドアロン専用記録媒体を適切に判別して、スタンドアロンモードへ自動的に移行する。これにより、オペレータは、初回についてスタンドアロン専用ラベルを貼り付けたＰＶをロードして、２回目以降はスタンドアロン開始コマンドを入力するだけで、スタンドアロンモードが設定できるので、設定作業が簡易化する。
【０１６１】
また、従来では、仮想テープ装置にスタンドアロンを設定する場合、設定操作が複雑なため、設定ミスが起きやすく障害発生の要因になっているが、本技術によれば、簡易な設定でスタンドアロンモードに移行するため、設定ミスを無くすことができ、障害発生の要因も低減することが可能になる。また、本技術によれば、２回目以降のスタンドアロン処理においてスタンドアロン専用記録媒体の記憶装置１０への搬入作業を要しない。
【０１６２】
したがって、本技術によれば、オペレータにとって煩わしい作業を軽減し、設定作業の簡易化を図ったスタンドアロンモードを実行可能にする。
次に、スタンドアロン終了動作について図２３を用いて説明する。図２３は、第２の実施の形態のスタンドアロン終了動作の流れを説明するための図である。
【０１６３】
〔Ｓ１４１〕ホスト装置３のコンソールは、スタンドアロン動作の終了を認識する。
〔Ｓ１４２〕仮想テープ装置２−３の操作盤２０ｃは、オペレータ操作を通じて、論理機番を指定してスタンドアロンモード動作終了を指示する。
【０１６４】
〔Ｓ１４３〕サーバ制御部２１は、指定された論理機番のＬＶをアンマウントする。
〔Ｓ１４４〕サーバ制御部２１は、ＬＶのボリューム名がＤＭＰnnnの場合は、ＬＶのデータをＰＶへコピーする。
【０１６５】
〔Ｓ１４５〕サーバ制御部２１は、物理ドライブ１１からＰＶをアンロードして、アンロードしたＰＶをライブラリ装置１０ａ内に格納する。
〔Ｓ１４６〕サーバ制御部２１は、ＬＶリスト２３の登録からＬＶを削除する。
【０１６６】
〔Ｓ１４７〕サーバ制御部２１は、ＰＶリスト２２の登録からＰＶを削除する。
〔Ｓ１４８〕サーバ制御部２１は、論理機番リスト２４のスタンドアロンモードフラグをＯＦＦにして、スタンドアロンモード終了を表示板２５に表示する。
【０１６７】
〔Ｓ１４９〕サーバ制御部２１は、スタンドアロン処理済みリスト３０を作成する。なお、スタンドアロン処理済みリスト３０が既に作成されている場合、サーバ制御部２１は、スタンドアロン処理済みリスト３０を更新する。サーバ制御部２１は、スタンドアロンモードで用いたスタンドアロン専用ＰＶに関する情報を登録することにより、スタンドアロン処理済みリスト３０の作成または更新を行う。具体的には、サーバ制御部２１は、スタンドアロン専用ＰＶのボリューム名、ＬＶ格納場所、ＰＶ格納場所、および処理終了日を、スタンドアロン処理済みリスト３０に登録する。
【０１６８】
これにより、ストレージシステム１−３は、スタンドアロン処理終了後に、ライブラリ装置１０ａからスタンドアロン専用記録媒体を搬出することを要しない。また、ストレージシステム１−３は、２回目以降のスタンドアロン処理においてスタンドアロン専用記録媒体の記憶装置１０への搬入作業を要しない。
【０１６９】
したがって、ストレージシステム１−３は、オペレータにとって煩わしい作業を軽減し、設定作業の簡易化を図ったスタンドアロンモードを実行可能にする。
次に、サーバ制御部２１が実行するスタンドアロン終了動作にかかる処理について図２４を用いて説明する。図２４は、第２の実施の形態のスタンドアロン終了動作を示すフローチャートである。スタンドアロン終了動作にかかる処理は、スタンドアロン終了コマンドの入力の検出を契機にして、サーバ制御部２１が実行する処理である。
【０１７０】
〔Ｓ１５１〕サーバ制御部２１は、指定された論理機番のＬＶをアンマウントする。
〔Ｓ１５２〕サーバ制御部２１は、ボリューム名が書き込み専用（ＤＭＰnnn）か否かを判定する（すなわち、書き込み専用であるか否かを判定する）。サーバ制御部２１は、書き込み専用である場合にステップＳ１５３へ行き、書き込み専用でない場合にステップＳ１５４へ行く。
【０１７１】
〔Ｓ１５３〕サーバ制御部２１は、ＬＶのデータをＰＶへコピーする。
〔Ｓ１５４〕サーバ制御部２１は、ＰＶを物理ドライブ１１からアンマウントする。
〔Ｓ１５５〕サーバ制御部２１は、アンマウントしたＰＶをライブラリ装置１０ａ内に格納する。
【０１７２】
〔Ｓ１５６〕サーバ制御部２１は、ＬＶリスト２３の登録からＬＶを削除する。
〔Ｓ１５７〕サーバ制御部２１は、ＰＶリスト２２の登録からＰＶを削除する。
〔Ｓ１５８〕サーバ制御部２１は、スタンドアロンモードを終了する。サーバ制御部２１は、スタンドアロンモードを終了に際し、論理機番リスト２４から論理機番割り付けを外し、論理機番リスト２４のスタンドアロンモードフラグをＯＦＦにして、スタンドアロンモード終了を表示板２５に表示する。
【０１７３】
〔Ｓ１５９〕サーバ制御部２１は、スタンドアロン処理済みリスト３０を作成してスタンドアロン終了動作にかかる処理を終了する。
以上説明したように、スタンドアロン動作を終了する場合、仮想テープ装置２は、ＬＶを仮想テープ装置２内でアンマウントし、ボリューム名が書き込み専用ラベル名の場合は、ＬＶのデータをＰＶにコピーする。そして、アンマウントしたＰＶをライブラリ装置１０ａ内に格納後、ＬＶリスト２３、ＰＶリスト２２から登録を削除して、論理機番リスト２４のスタンドアロンモードフラグをＯＦＦにする。
【０１７４】
このような制御により、オペレータは、単に、スタンドアロン動作を終了させたい論理機番を指定するだけで、スタンドアロンモードの終了が自動的に行われるので、スタンドアロンの終了処理を容易に行うことが可能になり、また、オンライン通常動作へもすみやかに移行することが可能になる。また、スタンドアロン動作を終了する都度、ライブラリ装置１０ａからスタンドアロン専用記録媒体を搬出することを要しない。これにより、ストレージシステム１−３は、２回目以降のスタンドアロン処理においてスタンドアロン専用記録媒体の記憶装置１０への搬入作業を要しない。
【０１７５】
したがって、ストレージシステム１−３は、オペレータにとって煩わしい作業を軽減し、設定作業の簡易化を図ったスタンドアロンモードを実行可能にする。
また、ストレージシステム１−３によれば、ＤＭＰ動作において同じスタンドアロン専用記録媒体を用いる場合、ＤＭＰ動作を行う都度のスタンドアロン専用記録媒体の搬入と搬出とを要しない。したがって、ストレージシステム１−３によれば、オペレータは、簡易な操作によってＤＭＰ動作を行うことができ、作業負担が軽減される。
【０１７６】
また、ストレージシステム１−３によれば、ＩＰＬ動作において複数世代のスタンドアロン専用記録媒体を使い分けることが容易となる。したがって、ストレージシステム１−３によれば、オペレータは、簡易な操作によってＩＰＬ動作を行うことができ、作業負担が軽減される。
【０１７７】
なお、仮想テープ装置２−３のハードウェア構成は、図１６で示した仮想テープ装置２と同様のコンピュータとして実現される。以上のようなハードウェア構成によって、本実施の形態の処理機能を実現することができる。また、コンピュータで本実施の形態の処理機能を実現する場合、仮想テープ装置２−３が有する機能の処理内容を記述したプログラムが提供される。
【０１７８】
そのプログラムをコンピュータで実行することにより、上記処理機能がコンピュータ上で実現される。処理内容を記述したプログラムは、コンピュータで読み取り可能な記録媒体に記録しておくことができる。
【０１７９】
以上説明したように、本技術によれば、スタンドアロン専用のラベルを設けることにより、通常ジョブで使用するボリュームと、スタンドアロンジョブで使用するボリュームとが分離でき、操作ミスを低減することが可能になる。
【０１８０】
また、未登録の専用ボリュームラベルを貼ったＰＶをマウントすることにより、仮想テープ装置が自動的にスタンドアロン動作モード開始を判別して所定のシーケンス動作を行い、また、スタンドアロンジョブで使用中の論理機番を、他のホストから使われないようにする。
【０１８１】
これにより、スタンドアロンジョブで使用する論理機番と、オンラインの通常ジョブで使用する論理機番とを区別することができ、二重割り付けなどによって発生するデータ破壊を防止することが可能になる。
【０１８２】
また、スタンドアロン動作の都度のスタンドアロン専用記録媒体の搬入と搬出とを要しないことから、オペレータの作業負荷を軽減して、オペレータによるスタンドアロンの設定作業を簡易化することが可能になる。
【０１８３】
以上、実施の形態を例示したが、実施の形態で示した各部の構成は同様の機能を有する他のものに置換することができる。また、他の任意の構成物や工程が付加されてもよい。
【符号の説明】
【０１８４】
１，１−１，１−２，１−３  ストレージシステム
２  仮想テープ装置
２ａ  検出部
２ｂ，２ｄ  制御部
２ｃ  記憶部
３，３ａ，３ｂ  ホスト装置
４  テープカートリッジ
１０  記憶装置
１０ａ  ライブラリ装置
１１  物理ドライブ
１１ａ  バーコードリーダ
１２  ロボット搬送機
２０，２０−２  制御装置
２０ａ，２０ａ−３  サーバ
２０ｂ  ディスクアレイ装置
２０ｂ−１  ＴＶＣ
２０ｃ  操作盤
２１  サーバ制御部
２２  ＰＶリスト
２３  ＬＶリスト
２４  論理機番リスト
２５  表示板
３０  スタンドアロン処理済みリスト
ｍ  記録媒体
ＥＭ  スタンドアロン専用記録媒体
【図１】
2015172923.tif 000003
【図２】
2015172923.tif 000004
【図３】
2015172923.tif 000005
【図４】
2015172923.tif 000006
【図５】
2015172923.tif 000007
【図６】
2015172923.tif 000008
【図７】
2015172923.tif 000009
【図８】
2015172923.tif 000010
【図９】
2015172923.tif 000011
【図１０】
2015172923.tif 000012
【図１１】
2015172923.tif 000013
【図１２】
2015172923.tif 000014
【図１３】
2015172923.tif 000015
【図１４】
2015172923.tif 000016
【図１５】
2015172923.tif 000017
【図１６】
2015172923.tif 000018
【図１７】
2015172923.tif 000019
【図１８】
2015172923.tif 000020
【図１９】
2015172923.tif 000021
【図２０】
2015172923.tif 000022
【図２１】
2015172923.tif 000023
【図２２】
2015172923.tif 000024
【図２３】
2015172923.tif 000025
【図２４】
2015172923.tif 000026